(57)【特許請求の範囲】
【請求項１】
操作部の施解錠操作でラッチ受けに係脱自在なラッチ体を備えた室内側に設けられる錠本体と、該錠本体の施解錠操作に応じて、その施解錠状態を切り替え表示する表示体を外面に備えた室外側に設けられる施解錠表示装置とからなる錠装置であって、
前記表示体を、前記施解錠表示装置の外面からその外周面部を出没させて表示切り替え可能に構成するに、
前記表示体には、その先端部が前記操作部側に達する従動軸を設けて、表示体を錠本体側と施解錠表示装置側でそれぞれ案内支持する一方、
前記操作部には、前記従動軸の先端部と対向する面に、ラッチ体の施錠位置から解錠位置に至る所定のストローク域をもって形成されるカム面を設け、
前記従動軸は、前記操作部の施解錠操作に連動連繋して、その先端側を、前記カム面に沿った摺接係合により従動せしめることで、前記表示体を出没可能に構成してあることを特徴とする錠装置。
【請求項２】
請求項１において、前記表示体は、その表面部を、植物、動物、乗り物、都道府県・区市町村などのシンボルマーク、キャラクターグッズ等がデザイン化された装飾面に形成せしめた装飾体に構成してあることを特徴とする錠装置。
【請求項３】
請求項１または２において、前記施解錠表示装置は、室外側に設けられる引き手として構成され、前記表示体の案内支持は、前記従動軸を、錠本体側と引き手側にそれぞれ設けた軸受部により案内支持すべく構成したことを特徴とする錠装置。
【請求項４】
請求項２において、前記表示体は、表面部と外周面部とで任意の形状に形成され、その表面部を、前記施解錠表示装置の外面とその外観色と異ならしめ、または、その表面部と外周面部を、前記装飾体の輪郭形状に適合せしめて形成されていることを特徴とする錠装置。
【請求項５】
請求項１乃至４の何れかにおいて、前記カム面は、前記操作部に形成した凹状のセット溝に装着されたカム体に形成されていることを特徴とする錠装置。
【請求項６】
請求項１乃至５の何れかにおいて、前記カム面は、前記施錠位置と解錠位置を、前記従動軸が位置決め保持されるよう傾斜ストローク域を介してそれぞれ水平ストローク域で形成し、該施錠位置の水平ストローク域は、前記ラッチ体がラッチ受けに係止完了する手前から、前記表示体の突出が完了する施錠表示位置として開始すべく形成されていることを特徴とする錠装置。
【請求項７】
請求項６において、前記カム面には、施錠位置の水平ストローク域と傾斜ストローク域との間に突部が形成されていることを特徴とする錠装置。
【請求項８】
請求項１乃至７の何れかにおいて、前記錠本体は、前記ラッチ体を、左右方向スライド自在に支持せしめ、前記操作部と前記ラッチ体とが一体的に構成されると共に、前記カム面を、直線カムで構成したことを特徴とする錠装置。
【請求項９】
請求項１乃至８の何れかにおいて、前記従動軸は、前記表示体を常時没入方向に弾圧付勢されていることを特徴とする錠装置。
【発明の詳細な説明】
【技術分野】
【０００１】
本発明は、共用トイレのドアなどに設けられ、室外側で施解錠状態を表示することのできる錠装置に関する。
【背景技術】
【０００２】
一般に、共用トイレのドアには、例えば、錠本体と引き手とからなるスライドラッチ錠が用いられ、使用中か否かが視認できるように、室内側における錠本体の施錠又は解錠状態を室外側で表示する施解錠表示部が設けられている。この施解錠表示部は、赤色の施錠表示と青色の解錠表示を片半部づつに施した円板形状の表示体（表示プレート）を、引き手前面に設けた表示窓を介して、室内側に設けられる錠本体の施解錠操作に応じて、回転伝達手段により正逆回転し、施解錠状態を赤・青切換え表示するよう構成されたものが知られている（例えば、特許文献１参照）。
【０００３】
しかしながら、このものは、回転伝達手段により正逆回転して表示体を赤・青切換え表示するために、錠本体側に、表示体への連結軸を設け、これをラック・ピニオン方式の歯合伝達手段によって、ラッチ体をスライド操作する際に回転伝達する構成となっている。このため、ラック・ピニオン方式を採用するに当たっては、ラックを上側としピニオンを下側として構成して錠本体をドアに取付けすると、ケースを含むラッチ錠自身の重さによって適正な歯合間隙が保たれず噛み合ってしまい、スライド操作（特に始動時）を重くしてしまうため、取付体による噛み合い防止構成や、ラックを下側としピニオンを上側とするなどして構成しなければならず、製作上の制約を受けると共に、錠本体にこれらを構成する複数の伝達部材を必要とするため構造が複雑なものとなり、製造コストが高くなる要因となっていた。また、引き手に設けられる施解錠表示装置も、その内部に円板形状の表示体を収容し無ければならず、表示窓を大きく形成することができないばかりか、引き手自体のデザイン性の向上を妨げ、形状のバリエーション化を阻むという問題点を有していた。
【０００４】
一方、施解錠表示装置として、上記回転表示プレートによらず、表示体を、施錠状態では引き手の前面からその外周面部を突出させ、外周面部に施した赤色表示を視認させ、解錠状態ではこれを前面側に没入させて出没可能に構成したものが知られている（例えば、特許文献２参照）。すなわち、このものは、ホテル等の客室の施解錠状態を、室内側に設けられた錠装置の一部をなすサムターンの回転操作に連動して回転伝達するカム手段を介して、表示体（６）を室外側の座板（２）から出没させることで、ホテル従業員が視覚により判別できるようにしたものである。
【０００５】
しかしながら、このものは、サムターンの回転を表示体６に伝達する手段として、サムターンの回転軸に連係部材（１０）を介して連係し、その先端側にカム（５）を設け、このカム（５）に表示体（６）に固設した従動片（７）の突片（７１）を係合させて、表示体（６）をサムターンの回転操作により、施錠時には、従動片（７）の突片（７１）が圧縮ばね（８）の付勢力に抗してカム（５）のＶ字状の溝（５１）の斜面に沿って押し上げられ、解錠時には、従動片（７）の突片（７１）がカム（５）のＶ字溝（５１）に嵌まり合って没入される構成となっている。このため、カム（５）や従動片（７）といったカム手段が表示体（６）側に配設されることとなり、表示体６側の構成が複雑なものとなり、しかも、従動片（７）は、カム（５）側を自由端とし、表示体（６）を外側座板（２）に設けた突出入孔（２３）においてのみ案内支持し、かつ、カム（５）と突片（７１）との係合が軸芯位置ズレした片持ち係合であるため、突片（７１）側が揺動し従動片（７）を長くすると表示体（６）と突出入孔（２３）が噛み合って動作できないという問題があり、所定ストロークを直線移動するラッチ錠に採用することができないものであった。また、外側座板（２）に形成される表示体（６）も、利用客には目立たないようにし、ホテル従業員が判別できることを目的とし、前者のものと共に装飾性を全く有しないものであった。
【特許文献１】実開平７−１４０４２号公報（図１、図２）
【特許文献２】実開平０６−０７８５５１号公報（図１、図２）
【発明の開示】
【発明が解決しようとする課題】
【０００６】
本発明は、上記の如き問題点を一掃すべく創案されたものであって、施解錠操作に応じて出没切り替え表示する表示体を備えるものでありながら、施解錠表示装置側にカム手段を配設する必要を無くし、錠装置全体の構造を簡略化すると共に、表示体や、引き手ケース、錠本体ケースをそれぞれ個別的に、種々の変化性に富んだ形状、大きさのものとすることができ、バリエーション化を容易ならしめることのできる錠装置を提供することを目的とする。
【課題を解決するための手段】
【０００７】
上記課題を解決するために本発明の錠装置は、操作部の施解錠操作でラッチ受けに係脱自在なラッチ体を備えた室内側に設けられる錠本体と、該錠本体の施解錠操作に応じて、その施解錠状態を切り替え表示する表示体を外面に備えた室外側に設けられる施解錠表示装置とからなる錠装置であって、前記表示体を、前記施解錠表示装置の外面からその外周面部を出没させて表示切り替え可能に構成するに、前記表示体には、その先端部が前記操作部側に達する従動軸を設けて、表示体を錠本体側と施解錠表示装置側でそれぞれ案内支持する一方、前記操作部には、前記従動軸の先端部と対向する面に、ラッチ体の施錠位置から解錠位置に至る所定のストローク域をもって形成されるカム面を設け、前記従動軸は、前記操作部の施解錠操作に連動連繋して、その先端側を、前記カム面に沿った摺接係合により従動せしめることで、前記表示体を出没可能に構成してあることを特徴とするものである。
【発明の効果】
【０００８】
本発明における錠装置は、施解錠操作に応じて出没切り替え表示する表示体を備えるものでありながら、表示体は２点間でブレることなく案内支持されるので、従動軸を、表示体５の中心から位置ズレさせて配設できると共に、その先端部が操作部に達するドア幅を貫通させた長尺のものに形成して、表示体を出没させるカム面を錠本体側に設けることができるようになり、その結果、操作部が回転操作されるものは勿論、所定ストロークを直進移動するものであっても適用することができるばかりか、カム面は、ラッチ体を操作する操作部に形成することが可能となり、施解錠表示装置側にカム体等の伝達手段を配設する必要が無くなり、表示体の施解錠状態を切り替え表示する機構の大幅な部品点数の削減を図ることができる。しかも、表示体は、引き手などの前面（外面）に大きく形成することができ、外周面部が山部と谷部を有する複雑な輪郭形状を有していても出没移動させることができるようになり、表示体自体を装飾体に兼用した利用を可能ならしめ、もって、錠装置全体の構造を簡略化することができると共に、表示体や、引き手ケース、錠本体ケースなどを個々別々に、種々の変化性に富んだ形状、大きさのものに形成でき、バリエーション化を容易ならしめることができる。
【発明を実施するための最良の形態】
【０００９】
以下、本発明の実施の形態を好適な実施の形態として例示する錠装置を図面に基づいて詳細に説明する。
【００１０】
図面において、１は共用トイレのドア２に取り付けられるスライドラッチ錠（錠装置）であって、該スライドラッチ錠１は、ドア２の室内側面に取り付けられる錠本体３と、ドア２の室外側面に取り付けられる引き手４とを備える。
錠本体３は、操作部３１に一体形成されたラッチ体３２と、該操作部３１およびラッチ体３２を左右方向スライド自在に支持する錠本体ケース３３と、開口枠２１側に設けられ、操作部３１の施解錠操作によりラッチ体３２が係脱するラッチ受け３４とを備えて構成される。このラッチ受け３４に対するラッチ体３２の係脱操作により、ドア２の施解錠が行われるようになっている。
ラッチ体３２には、その基端側にドア２側に突出する補助軸３２１および摺接部３２２が設けられており、操作部３１には、錠本体ケース３３から突出するスライド操作用の摘み片３１１が形成されている。
なお、ラッチ受け３４は、ドア２が外開きの場合には開口枠２１自体をラッチ受けとして使用し、その際、傷防止の点から必要において受け板を設けて構成される。
【００１１】
前記錠本体ケース３３は、平板状のドア２への取付部３３１と、半円弧状のケース外観部３３２とが一体形成される。取付部３３１には、所定幅の取着面３３１ａからラッチ体３２の施解錠操作に必要なストローク長さをもって、ラッチ受け３４側に開口する前記補助軸３２１を案内するための案内溝３３１ｂが設けられ、前記摺接部３２２の外周面が錠本体ケース３３の内周面を摺接する。また、この取付部３３１の裏面側は、取着面３３１ａにナット脚３３４、３３４、および軸受部３３５を備えると共に、取着面３３１ａからラッチ受け３４側に延出する面域をドア２と面接しない非接触面域として段差状に形成され、取着面３３１ａとドア２面との間にゴム系シート３３３が介在されており、補助軸３２１先端が取着面３３１ａにあるときはこのシート３３３面と摺接し、非面接域に達したときに、補助軸３２１の先端面がドア面と接触しないようになっている。
【００１２】
一方、ケース外観部３３２には、ラッチ体３２の施解錠操作に必要なストローク長さをもって、ラッチ受け３４と反対側に開口する前記摘み片３１１を案内する案内溝３３２ａが設けられている。つまり、操作部３１は、その摘み片３１１を案内溝３３２ａより外方に突出した状態で、施錠位置では案内溝３３２ａの基端に当接して全体が錠本体ケース３３内に収容（図５Ｂ）され、解錠位置では案内溝３３２ａの開口からその過半域を錠本体ケース３３から露出（図５Ａ）させてスライド操作されるようになっている。
なお、取付部３３１とケース外観部３３２、操作部３１とラッチ体３２は、それぞれ一体形成したが別体で形成しても良く、シート３３３面もゴム質系に限らず樹脂製や金属製であっても良い。
【００１３】
ドア２の室外側面には、施解錠表示装置として構成した引き手４が台座４１を介して取り付けられる。この引き手４は、下部側に手掛け片４２１が一体形成された（別体で形成しても良い）引き手ケース４２と、該引き手ケース４２の前面略中央に表示体５とを備えて構成される。なお、施解錠表示装置は、特許文献２に示す外側座板と共に形成しても良い。
台座４１は、基部４１１と、該基部４１１の対向辺から延出する一対の引き手ケース４２の取付け片４１２、４１２とにより断面視略コ状に一体形成され、また、その反対面には、ドア２内に挿入される２つのボルト挿入脚４１４、４１４と、後述する従動軸５４の軸受部４１３が設けられている。
そして、このボルト挿入脚４１４、４１４に挿入される取付けボルト４１５を、取付け片４１２の何れか一方が下面側にして錠本体ケース３３の取付部３３１に形成したナット脚３３４、３３４に螺入し、台座４１と引き手ケース４２とをドア２を挟んで固定すると共に、引き手ケース４２は、ドア２に取付けされた台座４１に挿入して、手掛け片４２１の背面側に穿設したビス孔４２３からビス止め固定される。
【００１４】
図３（Ａ）（Ｂ）において、それぞれ表示体５、５’は、表面部５１，５１’と外周面部５２，５２’とで任意の形状に形成され、外周面部５２，５２’には赤色表示が施され、引き手ケース４２に表示体５の外周面形状に適応して形成された凹状の溝部４２４に嵌装される。
図３（Ａ）の表示体５は、表面部５１が引き手ケース４２の前面と略同じ外観色となっており、外周面部５２が凹部（谷部）のない長方形に形成されている。
一方、図３（Ｂ）の表示体５’は、表面部５１’に赤色の女子用トイレマークを示す図が施されており、引き手ケース４２の前面の外観色と異なしめたものとなっており、さらに、その外観形状もＬａｄｉｅｓの意味を示す英文字Ｌの形状に形成されている。
つまり、表示体５’は、その表面部５１’を、植物、動物、乗り物、都道府県・区市町村などのシンボルマーク、キャラクターグッズ等のワンポイントマークの図や立体彫刻が施された（設けられた）デザイン化された装飾面に形成せしめ、また、表面部５１’と外周面部５２’を、前記装飾面全体に施した輪郭形態に適合せしめて、表示体５’自体の形状を変化させてデザイン化した装飾体として構成したものである。この装飾体の外周面部５２’の輪郭形態は、凹部と凸部（山部と谷部）の組合せにより形成された複雑な形状のものとなっている。
なお、表示体５を四角、円、楕円、三角等の輪郭に凹部（谷部）のない任意形状として表面部５１の大きさを大きくし、ワンポイントマークの図や立体彫刻を設けることができる。
【００１５】
表示体５の背面には、その先端部が操作部３１に達する従動軸５４が設けられ、従動軸５４は、溝部４２４の底部に穿設した軸受部４１３に挿入され、引き手４側と錠本体３側にそれぞれ設けた軸受部４１３、３３５に案内支持されると共に、この軸受部４１３、３３５は、それぞれボルト挿入脚４１４およびナット脚３３４と並設され、従動軸５４は、表示体５の中心から位置ズレした位置に設けられている。台座４１と挿通孔４２５の間には、従動軸５４を常時後退方向に弾発付勢するコイルバネ５３がリング状の抜け止め規制片５３ａを介して配設されており、この抜け止め規制片５３ａによって、挿通孔４２５と台座４１間で従動軸５４の移動規制を行い、表示体５が突出した際に外部要因によって引き抜きできないようになっている。また、従動軸５４は、直線状の棒状体で構成したが、階段状に折曲させたものであってもよい。この様に構成すると、引き手４自体を、或いは手掛け片４２１と切り離した施解錠表示装置４を独立的に錠本体３の対向位置から、例えば、ドアの中心側、上側に位置ズレさせて、目線位置に近づけて配置させることができ、装飾機能をより一層引き出すことができる。
【００１６】
一方、従動軸５４の先端部と対向する面の操作部３１には、該操作部３１に形成した凹状のセット溝３１２に対して、施錠位置から解錠位置に至る所定のストローク域をもって直線状のカム面５５１が形成された樹脂製（材質は適宜に採用できる）のカム体５５が装着されている。これにより、従動軸５４の先端部が常時弾圧付勢された状態でカム面５５１上に係合摺接し、従動軸５４は、操作部３１の施解錠操作に連動連繋してカム面５５１に沿って従動しながら表示体５を出没可能に構成している。
なお、軸受部４１３に代えて、溝部４２４を表示体自体を軸受する軸受部とし、または挿通孔４２５を従動軸５４の軸受部として構成しても良い。また、カム面５５１を引き手４側に向けて形成し、表示体５を前後方向に前面から出没可能に構成したが、カム面５５１を任意方向に向けて形成し、上下・左右・斜め方向の外面から出没させるように構成しても良い。例えば、カム面５５１を上側に向けて、従動軸５４を折曲形成し、上面から出没させる構成とすれば、外周面部５１の突出量を大きくすることができ、手前側外周面部５１に青色表示を施し、突出状態を解錠表示として、没入状態を施錠表示として表示切り替えすることができ、この外周面部５１に文字や図柄、彫刻を施すこともできる。
【００１７】
カム面５５１は、前記施錠位置と解錠位置を、従動軸５４が位置決め保持されるよう傾斜ストローク域５５１ａを介してそれぞれ水平ストローク域５５１ｂ、５５１ｃで形成し、該施錠位置の水平ストローク域５５１ｃは、ラッチ体３２がラッチ受け３４に係止完了する手前から、表示体５の突出が完了する施錠表示位置として開始すべく形成されている。つまり、傾斜ストローク域５５１ａの傾斜角は、表示体５の突出が完了する施錠表示位置で、表示体５の基端部がセット溝３１２から抜け出てしまわない嵌装状態が確保され、解錠位置で表示体５の表面部５１と引き手ケース４２の前面とが略面一となる移動量に設定されており、突出時に外部要因によって表示体５が回転しないよう規制されている。そして、カム面５５１には、施錠位置の水平ストローク域５５１ｃと傾斜ストローク域５５１ａとの間に突部５５２が形成されており、施錠状態に時おいて、操作部３１は、従動軸５４の先端がこの突部５５２を乗り越えなければ移動できないようになっている。
【００１８】
叙述の如く構成された本発明の実施の形態において、使用中か否かを表示する表示体５を、錠本体３の施錠操作に応じて出没移動することで施錠・解錠状態の表示切り替えを行わしめるのであるが、本発明における錠装置１は、表示体５に従動軸５４を設けて、表示体５を錠本体３側と施解錠表示装置（引き手４）側でそれぞれ案内支持する一方、操作部３１には、従動軸５４の先端部と対向する面に、ラッチ体３２の施錠位置から解錠位置に至る所定のストローク域をもって形成されるカム面５５１を設け、従動軸５４は、操作部３１の施解錠操作に連動連繋して、その先端部側を、カム面５５１に沿った摺接係合により従動しながら進退移動することで、表示体５が出没可能に構成されている。
つまり、ラッチ体３２が解錠位置にあるときは、表示体５が非施錠状態であることを示すよう溝部４２４に没入して、外周面部５２を隠した解錠表示が行われる。この状態で、ラッチ体３２を施錠操作すると、従動軸５４が直線状のカム面５５１沿って摺接係合しながら従動し、表示体５が突出され外周面部５２を溝部４２４から外観露出させて施錠表示状態に切換わる。なお、突出状態を解錠を示す青色表示としてこれを没入して表示切り替えしても良い。
【００１９】
このため、施解錠操作に応じて出没切り替え表示する表示体を備えるものでありながら、表示体５は２点間でブレることなく案内支持されるので、従動軸５４を、表示体５の中心から位置ズレさせて配設できると共に、その先端部が操作部３１に達するドア２を貫通させた長尺のものに形成して、表示体５を出没させるカム面５５１を錠本体３側に設けることができるようになり、その結果、特許文献２に示すサムターンの操作部で回転操作される回転カムのものに適用することは勿論、操作部３１が所定ストロークを直進移動する直線カムのものであっても適用することができるばかりか、カム面５５１は、ラッチ体３２を操作する操作部３１に直接的に形成することが可能となり、施解錠表示装置（引き手４）側にカム体５５等の伝達手段を配設する必要が無くなり、表示体５の施解錠状態を切り替え表示する機構の大幅な部品点数の削減を図ることができる。しかも、表示体５は、引き手４などの前面に大きく形成することができ、山部と谷部を有する複雑な輪郭形状を有していても出没移動させることができるようになり、表示体５自体を装飾体に兼用した利用を可能ならしめ、もって、錠装置１全体の構造を簡略化することができると共に、表示体５や、引き手ケース４２、錠本体ケース３３などを個々別々に、種々の変化性に富んだデザイン化された形状、大きさのものに形成でき、バリエーション化を容易ならしめることができる。
【００２０】
また、本発明における施解錠表示装置（引き手４）は、表示体５を、前記表示体５側とカム面５５１に係合する従動軸５４の先端側をそれぞれ案内支持させるので、表示体５は、引き手４などの前面に大きく形成することができ、複雑な外観形状を有していても出没移動させることができる結果、上記作用効果と共に、その表面部５１を、植物、動物、乗り物、都道府県・区市町村などのシンボルマーク、キャラクターグッズ等がデザイン化された装飾面に形成せしめた装飾体に構成することができる。このため、ホテル、マンション、空港ターミナル、公園等公共施設など設置場所や地域ごとに、例えば、ある区のシンボルマークの図や彫刻などが施されたシールや表示板を装着するなどして表面部５１に施してもよく、更にその輪郭形状に周面部５２を適合させて表示体５自体を成形するなど、表示体５を適宜にデザイン化させて統一した表示マークとして導入することが可能となり、他の施設等に採用されるものと差別化して使用することができるばかりか、従来ドアの上側中央位置に設けられた識別マークに代えて（と共に）、出没動作する表示体５に採用することができる。
【００２１】
また、前記施解錠表示装置は、室外側に設けられる引き手４として構成され、前記表示体５の案内支持は、前記従動軸５４を、錠本体３側と引き手４側にそれぞれ設けた軸受部３３５、４１３により案内支持すべく構成してあるので、従動軸５４は表示体５側と従動軸５４先端側でしっかりと軸受された２点間支持構成により案内支持することができ、従動軸５４は表示体５の中心から位置ズレさせた位置に設けることができ、表示体５が山部と谷部の複雑な輪郭形状を有したデザイン化されたものであっても出没移動させることができると共に、それぞれの軸受部３３５、４１３を、ドア２への取付面となる錠本体ケース３３の取付部３３１（取着面３３１ａ）や、引き手ケース４２の台座４１に対して、それぞれボルト挿入脚４１４およびナット脚３３４と並設させて配置することができ、部品点数の増加や構造の複雑化を伴わずに、本発明を実施できるという利点がある。
【００２２】
また、前記カム面５５１は、前記操作部３１に形成した凹状のセット溝３１２に装着されたカム体５５に形成されているので、カム面５５１を錠本体ケース３３内に成形することは勿論、ドア２内部に没入した状態でも形成することができる。
しかも、カム面５５１は、施錠位置と解錠位置を、従動軸５４が位置決め保持されるよう傾斜ストローク域５５１ａを介してそれぞれ水平ストローク域５５１ｂ、５５１ｃで形成し、該施錠位置の水平ストローク域５５１ｃは、ラッチ体３２がラッチ受け３４に係止完了する手前から、表示体５の突出が完了する施錠表示位置として開始すべく形成されているので、ラッチ体３２が半施錠状態であっても表示体５を施錠が完了した状態で突出表示することができる。
さらに、カム面５５１には、施錠位置の水平ストローク域５５１ｃと傾斜ストローク域５５１ａとの間に突部５５２が形成されているので、従動軸５４の先端がこの突部５５２を乗り越えなければ移動できず、操作部３１が不用意に移動しないよう解錠防止し、施錠表示状態を維持することができる。
【００２３】
また、前記従動軸５４は、表示体５を常時没入方向に弾圧付勢されているので、従動軸５４の先端部が、施錠位置の水平ストローク域５５１ｃを超えて下り勾配となる傾斜ストローク域５５１ａに移動すると、コイルバネ５３の弾圧力により解錠操作が軽快に行われ、たとえラッチ体３２を中途半端な位置で止めるような操作が行われたとしても、解錠位置となる水平ストローク域５５１ｂへスムーズに移動して、解錠状態と異なる誤表示を防止して、状態を反映した正確な表示ができ、施解錠表示の信頼性を高めることができる。
なお、カム面５５１に対して直接的に従動軸５４の先端部を係合させて従動するようにしたが、従動軸５４の先端部側に係合片を設けて摺接係合させるようにしても良く、この係合片は、従動軸５４が２点間支持構成により案内支持されるので、片持ち係合であっても良い。
【図面の簡単な説明】
【００２４】
【図１】錠本体の取付け状態を示す斜視図である。
【図２】錠本体ケースの背面図である。
【図３】表示体が突出した状態を示す引き手の斜視図であり、（Ａ）は一般的な形状の表示体の実施例を示す説明図、（Ｂ）はデザイン化された表示体の実施例を示す説明図である。
【図４】（Ａ）は引き手の背面図、（Ｂ）は引き手のＡ−Ａ断面図である。
【図５】錠本体と引き手を取付けした状態の水平断面図であり、（Ａ）は解錠状態を示す断面図、（Ｂ）は施錠状態を示す断面図である。
【符号の説明】
【００２５】
１        錠装置（スライドラッチ錠）
２        ドア
２１      開口枠
３        錠本体
３１      操作部
３１１    摘み片
３１２    セット溝
３２      ラッチ体
３２１    補助軸
３２２    摺接部
３３      錠本体ケース
３３１    取付部
３３１ａ  取着面
３３１ｂ  案内溝
３３２    ケース外観部
３３２ａ  案内溝
３３３    シート
３３４    ナット脚
３３５    軸受部
３４      ラッチ受け
４        施解錠表示装置（引き手）
４１      台座
４１１    基部
４１２    取付け片
４１３    軸受部
４１４    ボルト挿入脚
４１５    ボルト
４２      引き手ケース
４２１    手掛け片
４２３    ビス孔
４２４    溝部
４２５    挿通孔
５        表示体
５１      表面部
５１’    表面部
５２      外周面部
５２’    外周面部
５３      コイルバネ
５３ａ    抜け止め規制片
５４      従動軸
５５      カム体
５５１    カム面
５５１ａ  傾斜ストローク域
５５１ｂ  水平ストローク域
５５１ｃ  水平ストローク域
５５２    突部
【図１】
0005187562.tif 000002
【図２】
0005187562.tif 000003
【図３】
0005187562.tif 000004
【図４】
0005187562.tif 000005
【図５】
0005187562.tif 000006